(57)【要約】【課題】１つの分岐箇所において幹線から複数の支線を簡易かつ確実に分岐させることができる電線接続用Ｃ型スリーブを提供する。【解決手段】電線接続用Ｃ型スリーブ１は、大径の幹線と小径の２つ支線とを軸方向に並列に収納可能な内径を有し、内側面４には、２つ支線の径に合致する断面形状を有する２つの凹溝５ａ，５ｂが形成されている。側壁２は、凹溝５ａ，５ｂを設けた部分が他よりも肉厚となるように形成されている。また、小さい方の凹溝５ｂを使用しない場合は、その凹溝５ｂを塞ぐ凸部を有するスペーサと組み合わせて用いられる。【選択図】図１
2009048779.tif 000002
【特許請求の範囲】
【請求項１】
径が異なる少なくとも２本の電線を軸方向に並列に収納可能な内径を有する断面Ｃ字形のＣ型スリーブであって、
前記電線のうち径が小さい電線の径に合致する断面形状を有する複数の凹溝を内側面に形成したことを特徴とする電線接続用Ｃ型スリーブ。
【請求項２】
請求項２記載の電線接続用Ｃ型スリーブにおいて、
前記凹溝は、２つ設けられ、前記内側面に所定の間隔を隔てて平行に形成されていることを特徴とする電線接続用Ｃ型スリーブ。
【請求項３】
請求項１又は２記載のＣ型スリーブにおいて、
前記凹溝が形成されて成る部分が肉厚となっていることを特徴とするＣ型スリーブ。
【請求項４】
請求項１乃至３のいずれか１項記載のＣ型スリーブにおいて、
前記凹溝の１つ又は全部に当接する凸部を有するスペーサを内包することを特徴とするＣ型スリーブ。
【発明の詳細な説明】
【技術分野】
【０００１】
本発明は、電線同士を接続するためのスリーブであって、特に、断面Ｃ字形の電線接続用Ｃ型スリーブに関する。
【背景技術】
【０００２】
電線接続用Ｃ型スリーブとしては、大径の幹線と小径の支線をスリーブ内に収納し、これを圧縮固定装置で圧縮することにより締め付けて、幹線と支線とを電気的に接続して保持させるものが知られている。
【０００３】
かかる電線接続用Ｃ型スリーブは、例えば、柱上に架空配電された低圧配電線から地上側に引き下ろされた低圧引下線からなる幹線と、個々の住宅等の配電盤と繋がった引込線からなる支線とを電気的に接続し、低圧引下線から引込線を分岐させる分岐箇所を形成する。この場合、Ｃ型スリーブ１つに付き１本の引込線の分岐が行われ、分岐箇所毎に１ケ所ずつ絶縁処理を行う必要がある。
【０００４】
本願出願人は、先に、複数の引込線の分岐を簡便に行うために、予め幹線の芯線部分と支線の芯線部分を束ねて圧縮部を構成した引込分岐端子に係る発明を特許出願している（特許文献１参照）。
【特許文献１】特開２００２−１０１５３７号公報
【発明の開示】
【発明が解決しようとする課題】
【０００５】
しかしながら、従来の電線接続用Ｃ型スリーブを用いる限り、引込線の数だけ分岐箇所が必要となる。すなわち、分岐箇所だけＣ型スリーブや引込線分岐端子が必要となる。特に、建築工事用の臨時引込線を低圧引下線から分岐させる場合等には、かかる臨時引込線を引くためにのみ分岐箇所を設ける必要が生じて煩雑である。
【０００６】
そこで、分岐箇所を減少させるために、１つの分岐箇所で複数の引込線を分岐させることも考えられるが、図６（ａ）に示すように、Ｃ型スリーブ１００内に幹線Ｘと複数の支線Ｙ１，Ｙ２が収納された状態でスリーブ１００を圧縮すると、図６（ｂ）に示すように、幹線Ｘ及び支線Ｙとスリーブ１００との間に間隙Ｚ１，Ｚ２，Ｚ３が生じ得る。かかる間隙Ｚは、電線の劣化の原因となり得るものであり、かつ電線同士の接触不良を防止する観点から、接続の際にスリーブ内にコンパウンドを導入するなどして間隙を塞ぐ等の処置が別途必要となる。
【０００７】
上記事情に鑑み、本発明は、１つの分岐箇所において幹線から複数の支線を簡易かつ確実に分岐させることができる電線接続用Ｃ型スリーブを提供することを目的とする。
【課題を解決するための手段】
【０００８】
本発明は、径が異なる少なくとも２本の電線を軸方向に並列に収納可能な内径を有する断面Ｃ字形のＣ型スリーブであって、前記電線のうち径が小さい電線の径に合致する断面形状を有する複数の凹溝を内側面に形成したことを特徴とする。
【０００９】
本発明の電線接続用Ｃ型スリーブによれば、該スリーブに収納された電線のうち径の小さな支線に対応した複数の凹溝が内側面に形成されている。そのため、スリーブ内に大径の幹線と複数の支線を収納した際に、該支線が凹溝部分に収まる。この状態で、該スリーブを圧縮すると、幹線及び支線とスリーブとの間には間隙が生じ難い。
【００１０】
すなわち、支線が凹溝に納められている場合には、圧縮前の状態で、幹線及び支線とスリーブとの間の間隙は小さい。この状態からスリーブを圧縮することで、スリーブと幹線と支線とがそれぞれ潰されて互いの間を埋めるように変形し、幹線及び支線とスリーブとを隙間なく一体化させることができる。これにより、間隙を塞ぐ処置等も不要となり、１つの分岐箇所において、幹線から複数の支線を簡易かつ確実に分岐させることができる。
【００１１】
前記凹溝は、２つ設けられ、前記内側面に所定の間隔を隔てて平行に形成されていることが好ましい。３以上の支線を幹線から分岐させる場合には、支線の径の大きさによって、凹溝の支線を収めても、幹線及び支線とスリーブとの間の間隙が大きくなる。そのため、より確実に幹線と支線とを電気的に接続するためには、凹溝は２つであることが好ましい。
【００１２】
また、凹溝の間隔を平行にしておくことで、スリーブに収納された幹線と凹溝に納められた支線との間隔を一定に保つことで、スリーブを圧縮させた際に、圧縮斑等が生じることを防止してより確実に幹線と支線とを電気的に接続することができる。
【００１３】
また、前記凹溝が形成されて成る部分が肉厚となっていることが好ましい。凹溝が設けられている部分は、該溝の深さだけ、側壁の厚さが肉薄となる。そのため、凹溝が形成されている部分を肉厚とすることで、スリーブを圧縮した際に一定の強度を保つことができる。
【００１４】
さらに、本発明の電線接続用Ｃ型スリーブにおいて、前記凹溝の１つ又は全部に当接する凸部を有するスペーサを内包するようにしてもよい。例えば、凹溝の数より少ない小径の電線を接続する場合には、電線を収納しない凹溝部分に空間が生じてしまう。そこで、当該Ｃ型スリーブを、電線を収納しない凹溝を埋める凸部を有するスペーサと組み合わせて使うことで、１つのスリーブで様々な支線の数に対応して用いることができると共に、この場合にも簡易かつ確実に幹線から複数の支線を分岐させることができる。
【発明を実施するための最良の形態】
【００１５】
以下で説明する実施形態の電線接続用Ｃ型スリーブは、大径の幹線と、該幹線から分岐させる小径の支線とを収納し、圧縮固定装置で圧縮することにより締め付けて、幹線と支線とを電気的に接続して保持させるものである。
【００１６】
図１に示すように、本実施形態の電線接続用Ｃ型スリーブ１は、円筒形の側壁２の一部を軸方向に切り欠いた切欠部３を有し、この切欠部３から接続する電線を内部に挿通可能となっている。
【００１７】
側壁２の内側面４には、支線である引込線の径に合致する断面形状を有する複数の凹溝５が所定の間隔を隔てて平行に形成されている。具体的に、本実施形態における凹溝５は、一般的に引込線として用いられる１４ｓｑ（平方 mm）の電線の断面形状に対応した半円形の凹溝５ａと、建築工事用の臨時引込線に対応した直径が３．２ｍｍ又は２．６ｍｍの半円形の凹溝５ｂとが形成されている。２つの凹溝５ａ，５ｂ間の距離は、後述するように、幹線及び支線を収納してＣ型スリーブ１を圧縮した際に、凹溝５ａ，５ｂの側壁部分が、幹線と２つの支線とＣ型スリーブ１との間に生じる空間を埋めることが可能な間隔以上に設計される（図４参照）。
【００１８】
また、側壁２は、図２に断面図で示すように、２つの凹溝５ａ，５ｂを設けた部分が肉厚に形成されており、大きい方の凹溝５ａの底部から側壁の外側面までの厚さが、側壁２の厚さと同等となるように設計されている。
【００１９】
次に、図３及び図４を参照して、本実施形態の電線接続用Ｃ型スリーブ１の使用方法について説明する。
【００２０】
図３に示すように、電線接続用Ｃ型スリーブ１は、架空配電された低圧配電線から分岐して地上側に引き下ろされた低圧引下線Ｘを幹線として、低圧引下線Ｘから個々の住宅等と繋がった支線としての一般的な引込線Ｙ１と建築工事用の臨時引込線Ｙ２を分岐させるために使用される。
【００２１】
詳細には、Ｃ型スリーブ１を用いて低圧引下線Ｘから引込線Ｙ１，Ｙ２を分岐させる配電作業を行う作業者は、まず、引込線Ｙ１，Ｙ２の端部の被覆をＣ型スリーブ１の長さに相当するだけ剥いでその芯線部分を露出させ、図４（ａ）に示すように、芯線部分を切欠部３からＣ型スリーブ１内に挿通させる。挿入した引込線Ｙ１，Ｙ２の芯線部分は、それぞれの径に対応した凹溝５ａ，５ｂに配置される。
【００２２】
次いで、作業者は、低圧引下線Ｘの被覆をＣ型スリーブ１の長さに相当するだけ剥いでその芯線部分を露出させ、切欠部３を介してその芯線部分をＣ型スリーブ１内に挿通させる。
【００２３】
この状態で、作業者は図示しない圧縮工具や圧縮固定装置等を用いて、電線接続用Ｃ型スリーブ１の外側面から周方向内方向に向かって外力を作用させ、Ｃ型スリーブ１全体を圧縮変形させる。
【００２４】
これにより、図４（ｂ）に示すように、Ｃ型スリーブ１の切欠部３の向かい合う端面が互いに接近して切欠部３を塞ぐように結合すると共に、低圧引下線Ｘに対して、引込線Ｙ１，Ｙ２及びＣ型スリーブ１の側壁２が押し付けられて、低圧引下線Ｘと引込線Ｙ１，Ｙ２とがＣ型スリーブ１内に隙間なく配置される。
【００２５】
すなわち、圧縮により、Ｃ型スリーブ１と低圧引下線Ｘと引込線Ｙ１，Ｙ２とがそれぞれ潰されて互いの間を埋めるように変形する際に、引込線Ｙ１，Ｙ２が所定の間隔を隔てて凹溝５ａ，５ｂに配置しておくことで、これらＣ型スリーブ１と低圧引下線Ｘと引込線Ｙ１，Ｙ２との間の空間を確実に埋めて一体化させることができる。
【００２６】
また、側壁２は、凹溝５ａ，５ｂが形成された部分が肉厚となっていることから、Ｃ型スリーブ１を圧縮変形させた際に、凹溝５ａ，５ｂに亀裂等が生じることなく、溝がない場合と同様の強度を保つことができる。
【００２７】
このように、本実施形態の電線接続用Ｃ型スリーブによれば、複数の引込線Ｙ１，Ｙ２を低圧引下線Ｘから簡易かつ確実に分岐させることができる。また、接続の際にスリーブ１内にコンパウンドを導入することにより間隙を塞ぐ等の処置も不要である。
【００２８】
例えば、本実施形態では、低圧引下線Ｘから、一般的な引込線Ｙ１と建築工事用の臨時引込線Ｙ２を分岐させることで、住宅等の建築工事中は、臨時引込線Ｙ２を使用することができる。さらに、工事終了後は、臨時引込線Ｙ２をその分岐部近くで切断して絶縁処理を行うと共に、引込線Ｙ１により完成した住宅に配電を行うことができる。これにより、引込線Ｙ１と臨時引込線Ｙ２を１つのＣ型スリーブを用いて一括して圧縮し、それぞれ分岐させることができるため、分岐箇所を減らしてＣ型スリーブ等の材料費と分岐作業とを大幅に低減させることができる。
【００２９】
尚、本実施形態では、凹溝５ａ，５ｂにそれぞれ引込線Ｙ１，Ｙ２を配置しているが、Ｃ型スリーブ１を用いて、引込線Ｙ１のみを低圧引下線Ｘから分岐させる場合には、図５に示すようにスペーサ６を用いればよい。スペーサ６は、Ｃ型スリーブ１と長さが同等で、Ｃ型スリーブ１内に内包可能であり、大きい方の凹溝５ａに対応した位置を窪ませた溝部６と、小さい方の凹溝５ｂに当接する凸部６ｂとを備える。これにより、使用しない凹溝５ｂをスペーサ６の凸部６ｂで塞ぐことができ、Ｃ型スリーブ１を圧縮変形させた際に、使用しない凹溝部分に間隙が生じることを防止することができる。
【００３０】
また、本実施形態の例では、凹溝を２つ設けて、低圧引下線から２つの引込線を分岐させているが、これに限定されるものではなく、形状の異なる凹溝を３以上設けて各凹溝から引込線を分岐させるようにしてもよい。また、その場合に、使用しない凹溝がある場合には、その使用しない凹溝を塞ぐ凸部を有するスペーサを噛ませることで、前述のように、凹溝部分に間隙が生じることもない。これにより、１つのＣ型スリーブで形状の異なる複数の引込線に対応することができる。
【図面の簡単な説明】
【００３１】
【図１】実施形態の電線接続用Ｃ型スリーブを示す斜視図。
【図２】図１の電線接続用Ｃ型スリーブの断面図。
【図３】実施形態の電線接続用Ｃ型スリーブの使用例を示す図。
【図４】実施形態の電線接続用Ｃ型スリーブによって電線を接続する方法を示す説明図。
【図５】図１の電線接続用Ｃ型スリーブにスペーサを内包した状態を示す図。
【図６】従来の電線接続用Ｃ型スリーブの使用状態を示す図。
【符号の説明】
【００３２】
１…電線接続用Ｃ型スリーブ、２…側壁、３…切欠部、４…内側面、５ａ，５ｂ…凹溝、６…スペーサ、６ａ…溝部、６ｂ…凸部。
【図１】
2009048779.tif 000003
【図２】
2009048779.tif 000004
【図３】
2009048779.tif 000005
【図４】
2009048779.tif 000006
【図５】
2009048779.tif 000007
【図６】
2009048779.tif 000008